(57)【要約】  方法が提供される。当該方法は、ユーザ装置（ＵＥ）が、ネットワークスライスへの相互排他的アクセス（ＭＥＡＮＳ）グループへのアクセスをＣＭ−ＩＤＬＥ状態から要求するかＣＭ−ＣＯＮＮＥＣＴＥＤ状態から要求するかを決定することを含む。【選択図】図２
2022502903.tif 000002
【特許請求の範囲】
【請求項１】
ユーザ装置（ＵＥ）が、ＭＥＡＮＳ（ネットワークスライスへの相互排他的アクセス）グループへのアクセスをＣＭ−ＩＤＬＥ状態から要求するかＣＭ−ＣＯＮＮＥＣＴＥＤ状態から要求するかを決定することを含む
方法。
【請求項２】
前記ＵＥが、インジケーションを取得することをさらに含み、
ＭＥＡＮＳグループへのアクセスをＣＭ−ＩＤＬＥ状態から要求するかＣＭ−ＣＯＮＮＥＣＴＥＤ状態から要求するかを前記決定することは、前記インジケーションを使用することをさらに含む
請求項１に記載の方法。
【請求項３】
前記インジケーションを前記取得することは、ＡＭＦから前記インジケーションを受信することを含む
請求項１または２に記載の方法。
【請求項４】
前記インジケーションは、登録受理メッセージおよび／またはＵＥ構成更新メッセージに含まれている
請求項１乃至３の何れか１項に記載の方法。
【請求項５】
前記インジケーションは、前記ＵＥ内に構成されている
請求項１乃至４の何れか１項に記載の方法。
【請求項６】
前記ＵＥは、ＭＥＡＮＳグループへのアクセスをＣＭ−ＩＤＬＥ状態から要求することを決定し、
前記方法は、前記決定の結果として、５Ｇ−ＡＮシグナリングにおいてＧＵＡＭＩまたは５Ｇ−Ｓ−ＴＭＳＩを示すことなく、ＭＥＡＮＳグループへのアクセスをＣＭ−ＩＤＬＥ状態から要求することをさらに含む
請求項１乃至５の何れか１項に記載の方法。
【請求項７】
前記ＵＥは、ＭＥＡＮＳグループへのアクセスをＣＭ−ＣＯＮＮＥＣＴＥＤ状態から要求することを決定し、
前記方法は、前記決定の結果として、ＭＥＡＮＳグループへのアクセスをＣＭ−ＣＯＮＮＥＣＴＥＤ状態から要求することをさらに含む
請求項１乃至５の何れか１項に記載の方法。
【請求項８】
前記インジケーションは、現在のＡＭＦに接続している間に前記ＵＥが変更する可能性のある１つまたは複数のＭＥＡＮＳグループに関する情報を含む
請求項１乃至６の何れか１項に記載の方法。
【請求項９】
ユーザ装置（ＵＥ）であって、
ＭＥＡＮＳ（ネットワークスライスへの相互排他的アクセス）グループへのアクセスをＣＭ−ＩＤＬＥ状態から要求するかＣＭ−ＣＯＮＮＥＣＴＥＤ状態から要求するかを決定するのに適合する
ＵＥ。
【請求項１０】
前記ＵＥは、インジケーションを取得するのにさらに適合し、
ＭＥＡＮＳグループへのアクセスをＣＭ−ＩＤＬＥ状態から要求するかＣＭ−ＣＯＮＮＥＣＴＥＤ状態から要求するかを前記決定することは、前記インジケーションを使用することをさらに含む
請求項９に記載のＵＥ。
【請求項１１】
前記インジケーションを前記取得することは、ＡＭＦから前記インジケーションを受信することを含む
請求項９または１０に記載のＵＥ。
【請求項１２】
前記インジケーションは、登録受理メッセージおよび／またはＵＥ構成更新メッセージに含まれている
請求項９乃至１１の何れか１項に記載のＵＥ。
【請求項１３】
前記インジケーションは、前記ＵＥ内に構成されている
請求項９乃至１２の何れか１項に記載のＵＥ。
【請求項１４】
前記ＵＥは、ＭＥＡＮＳグループへのアクセスをＣＭ−ＩＤＬＥ状態から要求することを決定し、
前記ＵＥは、前記決定の結果として、５Ｇ−ＡＮシグナリングにおいてＧＵＡＭＩまたは５Ｇ−Ｓ−ＴＭＳＩを示すことなく、ＭＥＡＮＳグループへのアクセスをＣＭ−ＩＤＬＥ状態から要求するのにさらに適合する
請求項９乃至１３の何れか１項に記載のＵＥ。
【請求項１５】
前記ＵＥは、ＭＥＡＮＳグループへのアクセスをＣＭ−ＣＯＮＮＥＣＴＥＤ状態から要求することを決定し、
前記ＵＥは、前記決定の結果として、ＭＥＡＮＳグループへのアクセスをＣＭ−ＣＯＮＮＥＣＴＥＤ状態から要求するのにさらに適合する
請求項９乃至１３の何れか１項に記載のＵＥ。
【請求項１６】
前記インジケーションは、現在のＡＭＦに接続している間に前記ＵＥが変更する可能性のある１つまたは複数のＭＥＡＮＳグループに関する情報を含む
請求項９乃至１５の何れか１項に記載のＵＥ。
【請求項１７】
ユーザ装置（ＵＥ）であって、
ＭＥＡＮＳ（ネットワークスライスへの相互排他的アクセス）グループへのアクセスをＣＭ−ＩＤＬＥ状態から要求するかＣＭ−ＣＯＮＮＥＣＴＥＤ状態から要求するかを決定するように構成された決定モジュールを備える
ＵＥ。
【請求項１８】
前記ＵＥは、インジケーションを取得するように構成された取得モジュールをさらに備え、
ＭＥＡＮＳグループへのアクセスをＣＭ−ＩＤＬＥ状態から要求するかＣＭ−ＣＯＮＮＥＣＴＥＤ状態から要求するかを前記決定することは、前記インジケーションを使用することをさらに含む
請求項１７に記載のＵＥ。
【請求項１９】
前記インジケーションを前記取得することは、ＡＭＦから前記インジケーションを受信することを含む
請求項１７または１８に記載のＵＥ。
【請求項２０】
前記インジケーションは、登録受理メッセージおよび／またはＵＥ構成更新メッセージに含まれている
請求項１７乃至１９の何れか１項に記載のＵＥ。
【請求項２１】
前記インジケーションは、前記ＵＥ内に構成されている
請求項１７乃至２０の何れか１項に記載のＵＥ。
【請求項２２】
前記ＵＥは、ＭＥＡＮＳグループへのアクセスをＣＭ−ＩＤＬＥ状態から要求することを決定し、
前記ＵＥは、前記決定の結果として、５Ｇ−ＡＮシグナリングにおいてＧＵＡＭＩまたは５Ｇ−Ｓ−ＴＭＳＩを示すことなく、ＭＥＡＮＳグループへのアクセスをＣＭ−ＩＤＬＥ状態から要求するのにさらに適合する
請求項１７乃至２１の何れか１項に記載のＵＥ。
【請求項２３】
前記ＵＥは、ＭＥＡＮＳグループへのアクセスをＣＭ−ＣＯＮＮＥＣＴＥＤ状態から要求することを決定し、
前記ＵＥは、前記決定の結果として、ＭＥＡＮＳグループへのアクセスをＣＭ−ＣＯＮＮＥＣＴＥＤ状態から要求するのにさらに適合する
請求項１７乃至２１の何れか１項に記載のＵＥ。
【請求項２４】
前記インジケーションは、現在のＡＭＦに接続している間に前記ＵＥが変更する可能性のある１つまたは複数のＭＥＡＮＳグループに関する情報を含む
請求項１７乃至２３の何れか１項に記載のＵＥ。
【請求項２５】
ユーザ装置（ＵＥ）であって、
受信機と、
送信機と、
データストレージシステムと、
前記データストレージシステムと前記送信機と前記受信機とに接続された、プロセッサを含むデータ処理装置と、
を備え、
前記データ処理装置は、
ＭＥＡＮＳ（ネットワークスライスへの相互排他的アクセス）グループへのアクセスをＣＭ−ＩＤＬＥ状態から要求するかＣＭ−ＣＯＮＮＥＣＴＥＤ状態から要求するかを決定するように構成される
ＵＥ。
【請求項２６】
少なくとも１つのプロセッサで実行されると、該少なくとも１つのプロセッサに、請求項１乃至８および２８乃至３１の何れか１項に記載の方法を実行させる命令を含む、コンピュータプログラム。
【請求項２７】
請求項２６に記載のコンピュータプログラムを含むキャリアであって、該キャリアは、電気信号、光信号、無線信号、コンピュータ可読記憶媒体の何れかである、キャリア。
【請求項２８】
前記ＵＥは、ＭＥＡＮＳグループのＵＥ認識とは独立して前記決定を行う
請求項１乃至７の何れか１項に記載の方法。
【請求項２９】
前記ＵＥは、許可済ＮＳＳＡＩに関して、要求されたＮＳＳＡＩに新しいＳ−ＮＳＳＡＩを該ＵＥが追加するときに、前記決定を行う
請求項２８に記載の方法。
【請求項３０】
前記ＵＥは、許可済ＮＳＳＡＩに関して、要求されたＮＳＳＡＩ内のＳ−ＮＳＳＡＩを該ＵＥが削除するときに、前記決定を行う
請求項２８に記載の方法。
【請求項３１】
前記ＵＥは、許可済ＮＳＳＡＩに関して、要求されたＮＳＳＡＩ内のＳ−ＮＳＳＡＩを該ＵＥが完全に変更するときに、前記決定を行う
請求項２８に記載の方法。
【発明の詳細な説明】
【技術分野】
【０００１】
ネットワークスライスへの相互排他的アクセス（ＭＥＡＮＳ）に関連する実施形態を開示する。
【背景技術】
【０００２】
３ＧＰＰ  ＴＲ２３．７４０  Ｖ０．５．０は、キーイシュー（「キーイシュー＃１」）として、「ネットワークスライスへの相互排他的アクセス」（ＭＥＡＮＳ：Mutually Exclusive Access to Network Slices）を提示している。ＴＲ２３．７４０は、相互に排他的なネットワークスライスへのアクセス制御を扱ういくつかのシナリオが特定されていると述べている（すなわち、デプロイ、規制、またはＳＬＡ毎に、一部のＵＥが２つのサービス（Ｓ−ＮＳＳＡＩｓ）を同時に使用することが制限される可能性があるとしている。
【０００３】
このイシューは、解決しなければならない多くの問題を提示している。
【発明の概要】
【０００４】
いくつかの実施形態によれば、ＭＥＡＮＳグループの可能性のある変更は、ＣＭ−ＣＯＮＮＥＣＴＥＤ状態またはＣＭ−ＩＤＬＥ状態のいずれかから、グローバルに一意なＡＭＦ＿ＩＤ（ＧＵＡＭＩ：Globally Unique AMF ID）を示すか否かにかかわらず行うことができる。
【０００５】
上記および他の実施形態を以下に説明する。
【図面の簡単な説明】
【０００６】
本明細書に組み込まれ本明細書の一部を構成する添付の図面は、様々な実施形態を示す。
【０００７】
【図１】いくつかの実施形態によるネットワークアーキテクチャを示す。
【０００８】
【図２】いくつかの実施形態による処理を示すフローチャートである。
【０００９】
【図３】いくつかの実施形態によるＵＥの機能モジュールを示す図である。
【００１０】
【図４】いくつかの実施形態によるＵＥのブロック図である。
【発明を実施するための形態】
【００１１】
図１は、ユーザ装置（ＵＥ）１０２とネットワークノード１０４とを含むシステム１００を示す。ネットワークノード１０４は、ＡＭＦを含んでもよい。ＵＥ１０２およびネットワークノード１０４は、例えば、３Ｇ、４Ｇ、５Ｇネットワークプロトコルなどを介して、互いに通信可能に結合されてもよい。
【００１２】
ＵＥは、ＵＥがＣＭ−ＣＯＮＮＥＣＴＥＤにいる間に構成済ＮＳＳＡＩ（Configured NSSAI）からまたは有効なＧＵＡＭＩをまだ示している間にＣＭ−ＩＤＬＥから、別の単一ネットワークスライス選択アシスト情報（Ｓ−ＮＳＳＡＩ：Single Network Slice Selection Assistance Information）を追加しようとするかもしれない。しかし、ＭＥＡＮＳは、５Ｇ−ＡＮが要求されたＮＳＳＡＩ（Requested NSSAI）に基づいて５ＧＣを選択できるようにするために、ＵＥが古い登録からＧＵＡＭＩを示さずにＣＭ−ＩＤＬＥから再びネットワークにアクセスする必要性を推進しているようである。別のオプションは、ＵＥがＣＭ−ＣＯＮＮＥＣＴＥＤの状態にある間、新しいスライスへの再割り当てを許可することである。
【００１３】
ＣＭ−ＣＯＮＮＥＣＴＥＤ状態でネットワークスライスの再割り当てが可能な場合、ＵＥがＣＭ−ＩＤＬＥを経由する必要がないことについて、ネットワークが、５Ｇ−ＡＮシグナリングで（すなわち、５Ｇ−ＡＮをトリガするため）ＧＵＡＭＩまたは５Ｇ−Ｓ−ＴＭＳＩを示すことなくＵＥがＣＭ−ＩＤＬＥから別のＭＥＡＮＳグループへのアクセスを要求するかどうか、または、ＵＥがＣＭ−ＣＯＮＮＥＣＴＥＤ中にそのようなアクセスを要求すること（すなわち、例えば、別のＭＥＡＮＳグループのＰＤＵセッションが確立されていても５ＧＳが再割り当てを可能にするため）ができるかどうか、を示すことができるべきであることが提案されている。実施形態では、インジケーションはＵＥに提供されるＭＥＡＮＳグループに関する情報と一緒に提供されるか、または、インジケーションはＡＭＦによって別個に送信される可能性がある。別個に送信される場合、情報は、現在のＡＭＦに接続されている間（すなわちＣＭ−ＣＯＮＮＥＣＴＥＤにいる間）に、ＵＥがどのＭＥＡＮＳグループに対してより効率的な変更を使用することができるかを示すことができる。あるいは、ＵＥは、情報を用いて構成されてもよい。
【００１４】
このようなインジケーションは、どのようにＭＥＡＮＳグループがＵＥに通信されネットワークで実現されるかとは無関係に提供することができる。
【００１５】
実施形態では、ネットワーク（例えばＡＭＦ）は、現在の登録（許可済ＮＳＳＡＩ（Allowed NSSAI））に対してＣＭ−ＣＯＮＮＥＣＴＥＤに留まっている間、どのＭＥＡＮＳグループに対してＵＥがより効率的な再割り当てを使用できるかを示すことができる。ネットワーク（例えばＡＭＦ）は、登録受理（Registration Accept）メッセージの一部として、またはＵＥ構成更新（UE Configuration Update）手順の一部として、このような情報を提供することができる。このような情報を提供する他の方法も可能であり、ＭＥＡＮＳグループを提供するための特定のアプローチに依存する可能性がある。
【００１６】
実施形態により、ＵＥは、ＵＥがＣＭ−ＣＯＮＮＥＣＴＥＤにいる間に、ネットワークスライスまたはＭＥＡＮＳグループの効率的な再割り当て／変更（例えば、構成済ＮＳＳＡＩからさらにＳ−ＮＳＳＡＩを追加するなどして、要求されたＮＳＳＡＩを許可済ＮＳＳＡＩと比較して変更すること）を有効にすることができるのか、または、ＵＥがＣＭ−ＩＤＬＥ状態を経なければならないのか、を知ることができる。
【００１７】
図２は、いくつかの実施形態による処理２００を示す。処理２００は、ユーザ装置（ＵＥ）が、ＭＥＡＮＳ（ネットワークスライスへの相互排他的アクセス）グループへのアクセスを、ＣＭ−ＩＤＬＥ状態から要求するかＣＭ−ＣＯＮＮＥＣＴＥＤ状態から要求するかを決定すること（ステップ２０２）を含む方法である。
【００１８】
いくつかの実施形態では、本方法は、ＵＥがインジケーションを取得すること（ステップ２０４）をさらに含む。ＭＥＡＮＳグループへのアクセスをＣＭ−ＩＤＬＥ状態から要求するかＣＭ−ＣＯＮＮＥＣＴＥＤ状態から要求するかを決定することは、インジケーションを使用することをさらに含む。
【００１９】
いくつかの実施形態では、インジケーションを取得することは、ＡＭＦからインジケーションを受信することを含む。実施形態では、インジケーションは、登録受理メッセージおよび／またはＵＥ構成更新メッセージに含まれている。実施形態では、インジケーションはＵＥ内に構成されている。
【００２０】
いくつかの実施形態では、ＵＥは、ＭＥＡＮＳグループへのアクセスをＣＭ−ＩＤＬＥ状態から要求することを決定する。本方法は、前記決定の結果として、５Ｇ−ＡＮシグナリングにおいてＧＵＡＭＩまたは５Ｇ−Ｓ−ＴＭＳＩを示すことなく、ＭＥＡＮＳグループへのアクセスをＣＭ−ＩＤＬＥ状態から要求すること（ステップ２０６）をさらに含み得る。
【００２１】
いくつかの実施形態では、ＵＥは、ＭＥＡＮＳグループへのアクセスをＣＭ−ＣＯＮＮＥＣＴＥＤ状態から要求することを決定する。本方法は、前記決定の結果として、ＭＥＡＮＳグループへのアクセスをＣＭ−ＣＯＮＮＥＣＴＥＤ状態から要求すること（ステップ２０８）をさらに含み得る。
【００２２】
いくつかの実施形態では、インジケーションは、現在のＡＭＦに接続している間にＵＥが変更する可能性のある１つまたは複数のＭＥＡＮＳグループに関する情報を含む。
【００２３】
いくつかの実施形態では、ＵＥは、ＭＥＡＮＳグループのＵＥ認識とは独立して決定を行う。いくつかの実施形態では、ＵＥは、許可済ＮＳＳＡＩに関して、要求されたＮＳＳＡＩに新しいＳ−ＮＳＳＡＩをＵＥが追加するときに決定を行う。いくつかの実施形態では、ＵＥは、許可済ＮＳＳＡＩに関して、要求されたＮＳＳＡＩ内のＳ−ＮＳＳＡＩをＵＥが削除するときに決定を行う。いくつかの実施形態では、ＵＥは、許可済ＮＳＳＡＩに関して、要求されたＮＳＳＡＩ内のＳ−ＮＳＳＡＩをＵＥが完全に変更するときに決定を行う。
【００２４】
図３は、いくつかの実施形態によるＵＥ１０２の機能モジュールを示す図である。図２に示すように、ＵＥ１０２は、決定ユニット３０２および取得ユニット３０４を含む。決定ユニット３０２は、ＭＥＡＮＳ（ネットワークスライスへの相互排他的アクセス）グループへのアクセスをＣＭ−ＩＤＬＥ状態から要求するかＣＭ−ＣＯＮＮＥＣＴＥＤ状態から要求するかを決定するように構成され得る。取得ユニット３０４は、インジケーションを取得するように構成され得る。いくつかの実施形態において、決定ユニット３０２は、当該決定を行うためにインジケーションを使用するようにさらに構成される。
【００２５】
図４は、いくつかの実施形態によるＵＥ１０２のブロック図である。図４に示すように、ＵＥ１０２は、１つまたは複数のプロセッサ（Ｐ）４５５（例えば、汎用マイクロプロセッサおよび／またはＡＳＩＣ（特定用途向け集積回路）、ＦＰＧＡ（フィールドプログラマブルゲートアレイ）などの１つまたは複数の他のプロセッサ）を含み得るデータ処理装置（ＤＰＡ）４０２と；ＵＥ１０２がＡＮノード（例えば、基地局）との間でデータを送受信することを可能にするためのネットワークインタフェース４４８に結合された送信機４４５および受信機４４７と；１つまたは複数の不揮発性ストレージ装置および／または１つまたは複数の揮発性ストレージ装置（例えば、ランダムアクセスメモリ（ＲＡＭ））を含み得るローカルストレージユニット（別名「データストレージシステム」）４０８と；を含む。ＵＥ１０２が汎用マイクロプロセッサを含む実施形態では、コンピュータプログラム製品（ＣＰＰ）４４１が提供され得る。ＣＰＰ４４１は、コンピュータ可読命令（ＣＲＩ）４４４を含むコンピュータプログラム（ＣＰ）４４３を格納するコンピュータ可読媒体（ＣＲＭ）４４２を含む。ＣＲＭ４４２は、磁気媒体（例えば、ハードディスク）、光学媒体、メモリデバイス（例えば、ランダムアクセスメモリ）などの非一時的コンピュータ可読媒体であり得るが、これらに限定されない。いくつかの実施形態では、コンピュータプログラム４４３のＣＲＩ４４４は、データ処理装置４０２によって実行されたときに、ＣＲＩがＵＥ１０２に上述のステップ（例えば、フローチャートを参照して上述したステップ）を実行させるように構成される。他の実施形態では、ＵＥ１０２は、コードを必要とせずに本明細書で説明したステップを実行するように構成され得る。すなわち、例えば、データ処理装置４０２は、単に１つまたは複数のＡＳＩＣで構成され得る。したがって、本明細書で説明した実施形態の特徴は、ハードウェアおよび／またはソフトウェアで実施され得る。
【００２６】
本明細書の実施形態は、ＵＥがどのＳ−ＮＳＳＡＩがどのＭＥＡＮＳグループの一部であるかを学習したときの補完として使用することができ、または、そのような知識とは独立して使用することができる。
【００２７】
ネットワークスライスへの相互排他的アクセス：ネットワークスライスへのアクセスは、それぞれのＳ−ＮＳＳＡＩがＵＥのサブスクリプションに両方存在し、かつ、ＵＥが両方のＳ−ＮＳＳＡＩに同時にアクセスすることが妨げられている場合、ＵＥにとっては相互排他的であると考えられる。
【００２８】
この議論の目的のために、ＭＥＡＮＳグループは、他のネットワークスライスから相互排他的である１つまたは複数のネットワークスライスであると仮定される。他のネットワークスライスから相互排他的である１つまたは複数のネットワークスライスを参照するために、他の名称が使用されてもよい。
【００２９】
Ｒｅｌ−１５では、ＵＥは、ＵＥがＣＭ−ＣＯＮＮＥＣＴＥＤにいる間に構成済ＮＳＳＡＩから、または、有効なＧＵＡＭＩを示している間にＣＭ−ＩＤＬＥから、別のＳ−ＮＳＳＡＩを単純に追加しようとする可能性が高い。しかし、ＭＥＡＮＳは、要求されたＮＳＳＡＩに基づいて５Ｇ−ＡＮが５ＧＣを選択できるようにするために、ＵＥが古い登録のＧＵＡＭＩを示さずにＣＭ−ＩＤＬＥから再びネットワークにアクセスする必要性を推進しているようである。もう１つの選択肢は、ＵＥがまだ完全には機能していないＣＭ−ＣＯＮＮＥＣＴＥＤの状態にある間、新しいスライスへの再割り当てを許可することである。後の３ＧＰＰリリース（例えば、ＦＳ＿ＥＴＳＵＮ検討項目の一部として）で解決されるかもしれないが、それがＲｅｌ−１６で有効になるかどうかは不確かである。ＦＳ＿ＥＴＳＵＮで有効になるかどうかとは独立して、ＭＥＡＮＳグループ間のＵＥの移動にそのような機能が使えるかどうかは不確かである。ただし、ＣＭ−ＣＯＮＮＥＣＴＥＤ状態でネットワークスライスの再割り当てが可能な場合に、ＵＥがＣＭ−ＩＤＬＥを経由する必要がないように、他のＭＥＡＮＳグループへのアクセスをＵＥがＣＭ−ＩＤＬＥから（すなわち、選択を行うために５Ｇ−ＡＮをトリガするために）要求するかどうか、または、ＵＥが現在のＡＭＦに接続している間（すなわちＣＭ−ＣＯＮＮＥＣＴＥＤにいる間（すなわち、５ＧＳは、例えば別のＭＥＡＮＳグループのＰＤＵセッションが確立されていても再割り当てを可能にするため）またはＧＵＡＭＩを示したままＣＭ−ＩＤＬＥにいる間）に、他のＭＥＡＮＳグループへのアクセスをＵＥが要求できるかどうか、をネットワークが示すことができるべきであることが提案されている。
【００３０】
このようなインジケーションは、既存の解決策のいずれかと一緒に使用することができる（すなわち、任意の利用可能な解決策へのアドオンとして見られるべきである）。このインジケーションはＵＥに提供されるＭＥＡＮＳグループに関する情報と一緒に提供されるか、または、インジケーションはＡＭＦにより個別に送信され得る。個別に送信される場合、その情報は、ＵＥが現在のＡＭＦに接続している間（すなわちＣＭ−ＣＯＮＮＥＣＴＥＤにいる間）に、どのＭＥＡＮＳグループに対してより効率的な変更を使用することができるかを示すことができる。
【００３１】
５Ｇ−ＡＮシグナリングでＧＵＡＭＩまたは５Ｇ−Ｓ−ＴＭＳＩを示すことなく、ＣＭ−ＩＤＬＥにいる間にＭＥＡＮＳグループにアクセスできるかまたはアクセスしなければならないかについて、追加の情報／インジケーションを送信することができる。オプションまたは追加の拡張として、ネットワーク（例えばＡＭＦ）は、現在の登録（許可済ＮＳＳＡＩ）に対してＣＭ−ＣＯＮＮＥＣＴＥＤに留まっている間、ＵＥがどのＭＥＡＮＳグループに対してより効率的な再割り当てを使用できるかを示し得る。ネットワーク（例えばＡＭＦ）は、登録受理メッセージの一部として、または、ＵＥ構成更新手順の一部として、そのような情報を提供し得る。
【００３２】
実施形態では、ＵＥがＣＭ−ＣＯＮＮＥＣＴＥＤにいる間にネットワークスライスまたはＭＥＡＮＳグループの効率的な再割り当て／変更（例えば、構成済ＮＳＳＡＩからさらにＳ−ＮＳＳＡＩを追加するなどして、許可済ＮＳＳＡＩと比較して要求されたＮＳＳＡＩを変更すること）を有効にすることができるか否か、または、ＵＥがＣＭ−ＩＤＬＥ状態を経なければならないか否か、をＵＥが知ることができる。
【００３３】
実施形態が使用され得る例示的なシナリオを以下に説明する。
【００３４】
ＵＲＳＰの使用によるネットワークスライスへの相互排他的アクセス：追加情報は、ＵＲＳＰ規則の一部として送信され、および／または、登録またはＵＣＵ手順においてＡＭＦによって明示的に送信され得る。
【００３５】
ＵＥ構成によるネットワークスライスへの相互排他的アクセス：追加情報はＵＥ内で構成され、および／または、登録またはＵＣＵ手順においてＡＭＦによって明示的に送信され得る。
【００３６】
ＵＥでの相互排除認識：追加情報は、構成済ＮＳＳＡＩとともに提供される解決策で提案された相互排除クラス情報とともにＵＥに提供され、および／または、登録またはＵＣＵ手順においてＡＭＦによって明示的／個別的に送信され得る。
【００３７】
ネットワークスライスへの相互排他的アクセスのためのスライシンググループのサポート：追加情報は、Ｓ−ＮＳＳＡＩ（構成済ＮＳＳＡＩおよび許可済ＮＳＳＡＩの一部として提供され得る）から別個のパラメータとして提供される解決策で提案されたスライシンググループ識別子とともにＵＥに提供されるか、または、スライシンググループ識別子はＳＤ（ＳＳＴおよびオプションでＳＤを含むＳ−ＮＳＳＡＩの一部である）の一部である。したがって、追加情報は、Ｓ−ＮＳＳＡＩとともに（すなわち、登録またはＵＣＵ手順を使用して、構成済ＮＳＳＡＩおよび／または許可済ＮＳＳＡＩの中でまたはそれらとともに送信されるであろう。
【００３８】
既存のメカニズムを用いたネットワークスライスへの相互排他的アクセス：追加情報は、登録またはＵＣＵ手順でＡＭＦによってＵＥに提供される。
【００３９】
同時にアクセスできないネットワークスライスへのアクセス制御を有効化：追加情報は、登録またはＵＣＵ手順においてＡＭＦによってネットワークスライス除外規則とともにＵＥに提供されるか、または、登録またはＵＣＵ手順においてネットワークスライス除外規則から分離して提供される。
【００４０】
スライシンググループ識別子を介したＭＥＡＮＳの解決策：追加情報は、登録またはＵＣＵ手順においてＡＭＦによって（構成済ＮＳＳＡＩの中でまたはそれらとともに）ＭＥＡＧ＿ＩＤとともにＵＥに提供されるか、または、登録またはＵＣＵ手順においてＭＥＡＧ＿ＩＤとは分離して提供される。
【００４１】
上記解決策で言及されている手順は、ＴＳ２３．５０２に記載されている。
【００４２】
登録受理は登録手順の一部である（例えば４．２．２．２．２節を参照）。
【００４３】
ＵＥ構成更新手順は、ネットワークがＵＥを更新する可能性を可能にする（例えば４．２．４節を参照）。
【００４４】
本開示の様々な実施形態が本明細書（付録がある場合はそれも含む）に記載されているが、それらは例示のみで提示されており、限定されていないことを理解すべきである。したがって、本開示の幅および範囲は、上述の例示的な実施形態のいずれかによって限定されるべきではない。さらに、上述した要素のあらゆる可能な変形の組み合わせは、本明細書に別段の指示がない限り、または文脈によって明らかに矛盾しない限り、本開示に包含される。
【００４５】
さらに、上述し、図面に示された処理は、一連のステップとして示されているが、これは単に説明のために行われたものである。したがって、いくつかのステップが追加されてもよく、いくつかのステップが省略されてもよく、ステップの順序が再配置されてもよく、いくつかのステップが並行して実行されてもよいことが企図されている。
【図１】
2022502903.tif 000003
【図２】
2022502903.tif 000004
【図３】
2022502903.tif 000005
【図４】
2022502903.tif 000006
【手続補正書】
【提出日】令和3年5月17日(2021.5.17)
【手続補正１】
【補正対象書類名】特許請求の範囲
【補正対象項目名】全文
【補正方法】変更
【補正の内容】
【特許請求の範囲】
【請求項１】
ユーザ装置（ＵＥ）が、ＭＥＡＮＳ（ネットワークスライスへの相互排他的アクセス）グループへのアクセスをＣＭ−ＩＤＬＥ状態から要求するかＣＭ−ＣＯＮＮＥＣＴＥＤ状態から要求するかを決定することを含む
方法。
【請求項２】
前記ＵＥが、インジケーションを取得することをさらに含み、
ＭＥＡＮＳグループへのアクセスをＣＭ−ＩＤＬＥ状態から要求するかＣＭ−ＣＯＮＮＥＣＴＥＤ状態から要求するかを前記決定することは、前記インジケーションを使用することをさらに含む
請求項１に記載の方法。
【請求項３】
前記インジケーションを前記取得することは、ＡＭＦから前記インジケーションを受信することを含む
請求項２に記載の方法。
【請求項４】
前記インジケーションは、登録受理メッセージおよび／またはＵＥ構成更新メッセージに含まれている、および／または、
前記インジケーションは、前記ＵＥ内に構成されている
請求項２または３に記載の方法。
【請求項５】
前記ＵＥは、ＭＥＡＮＳグループへのアクセスをＣＭ−ＩＤＬＥ状態から要求することを決定し、
前記方法は、前記決定の結果として、５Ｇ−ＡＮシグナリングにおいてＧＵＡＭＩまたは５Ｇ−Ｓ−ＴＭＳＩを示すことなく、ＭＥＡＮＳグループへのアクセスをＣＭ−ＩＤＬＥ状態から要求することをさらに含む、または、
前記ＵＥは、ＭＥＡＮＳグループへのアクセスをＣＭ−ＣＯＮＮＥＣＴＥＤ状態から要求することを決定し、
前記方法は、前記決定の結果として、ＭＥＡＮＳグループへのアクセスをＣＭ−ＣＯＮＮＥＣＴＥＤ状態から要求することをさらに含む
請求項１乃至４の何れか１項に記載の方法。
【請求項６】
前記インジケーションは、現在のＡＭＦに接続している間に前記ＵＥが変更する可能性のある１つまたは複数のＭＥＡＮＳグループに関する情報を含む
請求項２乃至４の何れか１項に記載の方法。
【請求項７】
前記ＵＥは、ＭＥＡＮＳグループのＵＥ認識とは独立して前記決定を行い、オプションで、
‐前記ＵＥは、許可済ＮＳＳＡＩに関して、要求されたＮＳＳＡＩに新しいＳ−ＮＳＳＡＩを該ＵＥが追加するときに、前記決定を行う、または、
‐前記ＵＥは、許可済ＮＳＳＡＩに関して、要求されたＮＳＳＡＩ内のＳ−ＮＳＳＡＩを該ＵＥが削除するときに、前記決定を行う、または、
‐前記ＵＥは、許可済ＮＳＳＡＩに関して、要求されたＮＳＳＡＩ内のＳ−ＮＳＳＡＩを該ＵＥが完全に変更するときに、前記決定を行う
請求項１乃至６の何れか１項に記載の方法。
【請求項８】
ユーザ装置（ＵＥ）であって、
ＭＥＡＮＳ（ネットワークスライスへの相互排他的アクセス）グループへのアクセスをＣＭ−ＩＤＬＥ状態から要求するかＣＭ−ＣＯＮＮＥＣＴＥＤ状態から要求するかを決定するのに適合する
ＵＥ。
【請求項９】
前記ＵＥは、インジケーションを取得するのにさらに適合し、
ＭＥＡＮＳグループへのアクセスをＣＭ−ＩＤＬＥ状態から要求するかＣＭ−ＣＯＮＮＥＣＴＥＤ状態から要求するかを前記決定することは、前記インジケーションを使用することをさらに含む
請求項８に記載のＵＥ。
【請求項１０】
前記インジケーションを前記取得することは、ＡＭＦから前記インジケーションを受信することを含む
請求項９に記載のＵＥ。
【請求項１１】
前記インジケーションは、登録受理メッセージおよび／またはＵＥ構成更新メッセージに含まれている、および／または、
前記インジケーションは、前記ＵＥ内に構成されている
請求項９または１０の何れか１項に記載のＵＥ。
【請求項１２】
前記ＵＥは、ＭＥＡＮＳグループへのアクセスをＣＭ−ＩＤＬＥ状態から要求することを決定し、
前記ＵＥは、前記決定の結果として、５Ｇ−ＡＮシグナリングにおいてＧＵＡＭＩまたは５Ｇ−Ｓ−ＴＭＳＩを示すことなく、ＭＥＡＮＳグループへのアクセスをＣＭ−ＩＤＬＥ状態から要求するのにさらに適合する、または、
前記ＵＥは、ＭＥＡＮＳグループへのアクセスをＣＭ−ＣＯＮＮＥＣＴＥＤ状態から要求することを決定し、
前記ＵＥは、前記決定の結果として、ＭＥＡＮＳグループへのアクセスをＣＭ−ＣＯＮＮＥＣＴＥＤ状態から要求するのにさらに適合する
請求項８乃至１１の何れか１項に記載のＵＥ。
【請求項１３】
前記インジケーションは、現在のＡＭＦに接続している間に前記ＵＥが変更する可能性のある１つまたは複数のＭＥＡＮＳグループに関する情報を含む
請求項９乃至１１の何れか１項に記載のＵＥ。
【請求項１４】
少なくとも１つのプロセッサで実行されると、該少なくとも１つのプロセッサに、請求項１乃至７の何れか１項に記載の方法を実行させる命令を含む、コンピュータプログラム。
【請求項１５】
請求項１４に記載のコンピュータプログラムを含むコンピュータ可読記憶媒体。
【国際調査報告】
2022502903.tif 000007